(57)【要約】【課題】外壁パネルが隣り合う出隅にシーリング施工を行う必要がなく、かつ、デザイン的にも優れた出隅カバー材を提供する。【解決手段】外壁パネルＰ１、Ｐ２の出隅Ｄに設けられるカバー材であって、該カバー材は、上記出隅Ｄに沿って被着される取付ベース１と、この取付ベース１の外側角部に延設された嵌合溝部１１に嵌合する係止片２１を突設した係止部２と、この係止部２を内側角部に一体的に内設するとともに、上記取付ベース１を覆うように設けられる化粧カバー３とからなる。【選択図】図１
2004324069.tif 000002
【特許請求の範囲】
【請求項１】
外壁パネルの出隅に設けられるカバー材であって、該カバー材は、上記出隅に沿って被着される取付ベースと、この取付ベースの外側角部に延設された嵌合溝部に嵌合する係止片を突設した係止部と、この係止部を内側角部に一体的に内設するとともに、上記取付ベースを覆うように設けられる化粧カバーとからなることを特徴とする出隅カバー材。
【請求項２】
上記取付ベースと係止部とは、弾性を有する硬質プラスチックから構成され、上記係止部に突設された係止片の平断面が矢印形状とされるとともに、この係止片が平断面略Ｕ字状の嵌合溝部に弾性的に嵌合する請求項１に記載の出隅カバー材。
【請求項３】
上記係止片の長手方向に沿って所定間隔で平面視略五角形の板状のストッパーを付設するとともに、このストッパーを受けるスリットが上記嵌合溝部に切り込まれた請求項１に記載の出隅カバー材。
【請求項４】
上記化粧カバーが外壁パネルと同系統の無機質板からなるとともに、化粧カバーの内側角部に上記係止部が接着された請求項１に記載の出隅カバー材。
【請求項５】
上記取付ベースが外壁パネルの出隅に釘で固定された請求項１に記載の出隅カバー材。
【発明の詳細な説明】
【０００１】
【発明の属する技術分野】
本発明は、出隅カバー材に関する。さらに詳しくは、金属サイデイング等、建物の外壁パネルの隣り合う出隅をカバーする出隅カバー材に関する。
【０００２】
【従来の技術】
従来、外壁パネルの隣り合う目地、出隅、入り隅等の接合部をカバーする外壁パネル用役物については、種々の先行技術が知られている（例えば、特許文献１、２、３参照。）。
【０００３】
【特許文献１】
特開２０００−２８２６７３号公報（第１−４頁、第３図、第６図）
【特許文献２】
特開平８−１９９７８５号公報（第１−４頁、第３図）
【特許文献３】
特開平５−１３３０９０号公報（第１−４頁、第１図、第２図、第４図）
【０００４】
【発明が解決しようとする課題】
上記した先行技術の一例としては、本願図５に示すように、出隅を構成する外壁パネルＰ１、Ｐ２の接合部にシーリング材７でシーリングを施して雨水等の侵入を防ぎ、その上を化粧用の出隅カバー材５で覆い、固定する技術が知られている。このとき、本願図５に示されているように、上記公知の出隅カバー材５は、釘６等の固定手段により固定して出隅を覆っているため、釘６の頭が目に入り、デザイン的に優れているとはいい難い。さらに、上記したように、コーキング材や防水パッキン等のシーリング材７でシーリング施工を行う必要があるため、作業に手間がかかるという問題もある。そこで、本発明は、外壁パネルが隣り合う出隅にシーリングを施工する必要がなく、かつ、デザイン的にも優れた出隅カバー材を提供することをその課題とする。
【０００５】
【課題を解決するための手段】
本発明は、上記課題を解決するために考え出されたものであって、つぎのような技術的手段を講じている。すなわち、本発明によれば、外壁パネルの出隅に設けられるカバー材であって、該カバー材は、上記出隅に沿って被着される取付ベースと、この取付ベースの外側角部に延設された嵌合溝部に嵌合する係止片を突設した係止部と、この係止部を内側角部に一体的に内設するとともに、上記取付ベースを覆うように設けられる化粧カバーとからなることを特徴とする出隅カバー材を提供することができる。
【０００６】
このようにすることによって、上記取付ベースが出隅にぴったりと被着し、さらにその上から化粧カバーが覆って、壁パネルと壁パネルとの接合部を二重に覆う構造となるため、シーリング施工を行わなくても、雨水等の浸入を防ぐことができる。また、釘等の固定手段が目に触れないため、デザイン的にも優れたものとなる
【０００７】
上記取付ベースと係止部とは、弾性を有する硬質プラスチックから構成され、上記係止部に突設された係止片の平断面が矢印形状とされるとともに、この係止片が平断面略Ｕ字状の嵌合溝部に弾性的に嵌合することが好ましい。また、係止片の全幅を嵌合溝部の内寸よりやや大きめに形成し、タイトな状態で嵌合すれば、化粧カバーを取付ベースにしっかりと弾性嵌合することができる。
【０００８】
上記係止片の長手方向に沿って所定間隔で平面視略五角形の板状のストッパーを付設するとともに、このストッパーを受けるスリットが上記嵌合溝部に切り込まれることが好ましい。上記ストッパーをスリットに嵌挿することによって、係止部が上記取付ベースの嵌合溝部からずれることを防ぎ、ひいては、係止部と一体的に構成された化粧カバーがずり落ちることを防ぐ。
【０００９】
上記化粧カバーが外壁パネルと同系統の無機質板からなるとともに、この化粧カバーの内側角部に上記係止部が接着されることが好ましい。このようにすることによって、化粧カバーがそれと同質の外壁パネルの隣り合う出隅に違和感なく納まり、また、化粧カバーと係止部とを接着剤によって一体的に接着することができる。
【００１０】
上記取付ベースが外壁パネルの出隅に釘で固定されることが好ましい。複数の釘で、出隅に沿ってしっかりと固定すれば、取付ベースを外壁パネルと外壁パネルとの接合部にぴったりと被着させることができる。
【００１１】
【発明の実施の形態】
以下、本発明の好ましい実施の形態について、図面を参照して、さらに詳細に説明する。図１は、本発明にかかる出隅カバー材Ａの構成を示す平断面図である。図１からよくわかるように、出隅カバー材Ａは、取付ベース１と、この取付ベース１を覆設するとともに、内側角部に係止部２を内設した化粧カバー３とからなり、上記取付ベース１は、外壁パネルＰ１とＰ２とが隣り合う出隅Ｄに沿って釘４でしっかりと固定され、被着している。さらに、上記係止部２の内側直角角部には、その長手方向に沿って断面が矢印形状の係止片２１が直角を二分するように突設され、この係止片２１は、上記取付ベース１の外側角部に、その長手方向に延設された断面が略Ｕ字状の嵌合溝部１１に嵌合される。
【００１２】
上記取付ベース１と係止部２とは、弾性を有する硬質プラスチックから構成され、嵌合溝部１１の先端には、一旦嵌合した上記係止片２１が外れることのないように、係止用リブ１１２が連設されている。本実施形態においては、化粧カバー３は、外壁パネルＰ１、Ｐ２と同系統の無機質板からなるとともに、化粧カバー３と係止部２とは、接着剤で一体的に接着されている。また、雨水等の侵入を防ぐために、化粧カバー３の両端部は内側に湾曲され、それぞれ外壁パネルＰ１とＰ２とに当接している。
【００１３】
上記のように構成し、係止片２１の全幅を嵌合溝部１１の内寸よりやや大きめに形成してタイトに嵌合すれば、両者の弾性力が長手方向全体に作用し、化粧カバー３を、取付部２を介して取付ベース１にしっかりと取付けることができる。さらに、係止片２１と嵌合溝部１１との嵌合部位が長い場合や、高所において嵌合されているときは、係止片２１が嵌合溝部１１からずり落ちるの防ぐため、図２に示すように、係止片２１の長手方向に平面視略五角形の板状のストッパー２１１が所定間隔で付設され、かつ、嵌合溝部１１に上記ストッパー２１１を受けるスリット１１１が切り込まれる。図３は、上記ストッパー２１１をスリット１１１に嵌挿するとともに、係止片２１を嵌合溝部１１に嵌合した状態を示す平断面図であり、図４は、図３の要部を示す平断面図である。
【００１４】
図３からよくわかるように、本発明の出隅カバー材Ａを用いれば、出隅Ｄに沿って外壁パネルＰ１、Ｐ２に釘４で固定された取付ベース１が、外壁パネルＰ１とＰ２との接合部にぴったりと被着し、さらにその上から化粧カバー３が覆う、二重構造とされている。また、化粧カバー３の両端部は内側に湾曲され、それぞれ外壁パネルＰ１とＰ２とに当接しているため、雨水が降りかかっても、出隅への侵入を防ぎ、さらに、上記したように取付ベース１が外壁パネルＰ１とＰ２との接合部に被着しているため、この接合部から雨水が浸入することはない。したがって、上記接合部をコーキング材や防水パッキン等により、シーリングを行う必要はなく、また、釘４等の固定手段が目に触れないため、デザイン的にも優れたものとなる。
【００１５】
上記実施形態は、無機質板からなる化粧カバー３と、硬質プラスチックからなる係止部２とを接着して用いたが、両者を同質、例えば、硬質プラスチックから構成し、一体成型して用いてもよい。あるいは、アルミ等、軽量の金属から構成し、一体成型して用いてもよい。このように、本発明にかかる出隅カバー材の構成材料は種々設計変更可能であり、いずれも、本発明の技術的範囲に含まれる。
【００１６】
【発明の効果】
以上述べたように、請求項１に記載の発明は、外壁パネルＰ１、Ｐ２の出隅Ｄに設けられるカバー材であって、該カバー材は、上記出隅Ｄに沿って被着される取付ベース１と、この取付ベース１の外側角部に延設された嵌合溝部１１に嵌合する係止片２１を突設した係止部２と、この係止部２を内側角部に一体的に内設するとともに、上記取付ベース１を覆うように設けられる化粧カバー３とからなることを特徴とする出隅カバー材Ａである。このようにすることによって、上記取付ベース１が出隅Ｄにぴったりと被着し、さらにその上から化粧カバー３が覆って、壁パネルＰ１と壁パネルＰ２との接合部を二重に覆う構造となるため、シーリング施工を行わなくても、雨水等の浸入を防ぐことができる。また、釘４等の固定手段が目に触れないため、デザイン的にも優れたものとなる。
【００１７】
請求項２に記載の発明は、上記取付ベース１と係止部２とは、弾性を有する硬質プラスチックから構成され、上記係止部２に突設された係止片２１の平断面が矢印形状とされるとともに、この係止片２１が平断面略Ｕ字状の嵌合溝部１１に弾性的に嵌合される。また、係止片２１の全幅を嵌合溝部１１の内寸よりやや大きめに形成し、タイトな状態で嵌合することにより、請求項１に記載の発明の効果に加えて、化粧カバー３を取付ベース１にしっかりと弾性嵌合することができる。
【００１８】
請求項３に記載の発明は、上記係止片２１の長手方向に沿って所定間隔で平面視略五角形の板状のストッパー２１１を付設するとともに、このストッパー２１１を受けるスリット１１１が上記嵌合溝部１１に切り込まれる。上記ストッパー２１１をスリット１１１に嵌挿することによって、請求項１に記載の発明の効果に加えて、係止部２が上記取付ベース１の嵌合溝部１１からずれることを防ぎ、ひいては、係止部２と一体的に構成された化粧カバー３がずり落ちることを防ぐ。
【００１９】
請求項４に記載の発明は、上記化粧カバー３が外壁パネルＰ１、Ｐ２と同系統の無機質板からなるとともに、この化粧カバー３の内側角部に上記係止部２が接着される。このようにすることによって、請求項１に記載の発明の効果に加えて、化粧カバー３が、それと同質の外壁パネルＰ１、Ｐ２の隣り合う出隅Ｄに違和感なく納まり、また、化粧カバー３と係止部２とを接着剤によって一体的に接着することができる。
【００２０】
請求項５に記載の発明は、上記取付ベース１が外壁パネルＰ１、Ｐ２の出隅Ｄに釘４で固定される。複数の釘４で、出隅Ｄに沿ってしっかりと固定すれば、請求項１に記載の発明の効果に加えて、取付ベース１を外壁パネルＰ１と外壁パネルＰ２との接合部にぴったりと被着させることができる。
【図面の簡単な説明】
【図１】本発明にかかる出隅カバー材の構成を示す平断面図である
【図２】係止片に平面視略五角形の板状のストッパーを付設し、嵌合溝部にストッパーを受けるスリットを切り込んだ状態を示す一部破断斜視図である。
【図３】本発明の出隅カバー材を出隅に取付た状態を示す平断面図である。
【図４】図３の要部を示す平断面図である。
【図５】公知の出隅カバー材を示す部分断面斜視図である。
【符号の説明】
Ａ        本発明にかかる出隅カバー材
１        取付ベース
１１      嵌合溝部
１１１    スリット
１１２    係止用リブ
２        係止部
２１      係止片
２１１    ストッパー
３        化粧カバー
４        釘
５        公知の出隅カバー材
６        同上用釘
７        同上用シーリング材
Ｄ        出隅
Ｐ１      外壁パネル
Ｐ２      外壁パネル
【図１】
2004324069.tif 000003
【図２】
2004324069.tif 000004
【図３】
2004324069.tif 000005
【図４】
2004324069.tif 000006
【図５】
2004324069.tif 000007